(57)【要約】【課題】  コンパクトで、破損等にも強い、持ち運び、積載や集積が容易な風力給電の標識灯を提供する。【解決手段】  筒状の支持体に垂直軸型風力発電機を、筒の長手方向に羽根の長手方向を持つように内蔵し、垂直軸型風力発電機の発電電力により表示部のランプを点灯または点滅させる構成とする。【選択図】    図１
2005042693.tif 000002
【特許請求の範囲】
【請求項１】
筒状の支持体と、前記支持体に内蔵され、筒の長手方向に羽根の長手方向を持つ垂直軸型風力発電機と、前記支持体に結合された表示部とを構成に含むことを特徴とする垂直軸型風力自給電標識灯。
【請求項２】
前記の表示部は、点灯又は点滅するためのランプとしてＬＥＤを含むことを特徴とする請求項１記載の垂直軸型風力自給電標識灯。
【請求項３】
前記の表示部は、赤、黄、青（緑）の３色、又は赤、青（緑）の２色のランプを有することを特徴とする請求項１又は請求項２記載の垂直軸型風力自給電標識灯。
【請求項４】
前記の表示部は、待ち時間等の時間表示機能を持つことを特徴とする請求項１〜請求項３のいずれか１つに記載の垂直軸型風力自給電標識灯。
【請求項５】
前記垂直軸型風力発電機の電力を補助する太陽電池を有することを特徴とする請求項１〜請求項４のいずれか１つに記載の垂直軸型風力自給電標識灯。
【請求項６】
前記垂直軸型風力発電機の前記羽根に複数の色や反射部をつけたことを特徴とする請求項１〜請求項５のいずれか１つに記載の垂直軸型風力自給電標識灯。
【請求項７】
前記垂直軸型風力発電機を内蔵した筒状の前記支持体と前記表示部が、１対１以外の数の組み合わせでなることを特徴とする請求項１〜請求項６のいずれか１つに記載の垂直軸型風力自給電標識灯。
【発明の詳細な説明】
【技術分野】
【０００１】    本発明は、道路の側路の位置や鉄道の範囲内や、工事中の道路の交通許可／停止や交通許可までの待ち時間などを表示する標識に関するものである。
【背景技術】
【０００２】    従来からこの手の道路や鉄道等の交通路での表示としては、図２及び図３のようなものがあった。図２では、標識のためのランプ２１が埋め込まれた表示部２２があり、これを電池２３を有する制御回路２４が駆動していた。【０００３】    図３は、図２の欠点を回避するものとして、水平軸型の風力発電機３５を有していて、羽根３６の回転により発電した電力を供給するものであった。水平軸型とは、風力発電としては多く使われているもので、発電機の羽根の回転軸の方向が、風の流れの方向と同じであるものである。例えば、図３に対応する特許として特許文献１がある。
【特許文献１】特開平６−５０１８３
【発明の開示】
【発明が解決しようとする課題】
【０００４】    従来のものは、以上のように、図２のように電池で駆動するものは、コンパクトであるが、電池を交換する面倒さが伴っていた。これを回避する図３のものは、電池の交換の煩わしさは回避されたが、水平軸型の風力発電機では、羽根が大きくなるため、円柱や角柱等の筒状の細い支持体の上に搭載された状態が、コンパクトではなく、所謂、頭でっかちになってしまう。これは、見かけ以上に取り扱い上で破損しやすい構造になっている。即ち、倒したり、ぶつけたりした場合に、大きな羽根を保護することに特別注意を払い製作する必要があった。
【課題を解決するための手段】
【０００５】    以上の従来品の欠点を克服するために、本発明は、円柱や角柱等の筒状の細い支持体の形状にあった風力発電機を使用したものである。即ち、垂直軸型風力発電機は、その細長く構成できるゆえに、筒状の支持体に内蔵できる特徴を最大限に生かしたものである。請求項１記載の発明は、垂直軸型風力自給電標識灯であって、筒状の支持体と、前記支持体に内蔵され、筒の長手方向に羽根の長手方向を持つ垂直軸型風力発電機と、前記支持体に結合された表示部とを構成に含むことを特徴とする。【０００６】請求項２記載の発明は、請求項１記載の垂直軸型風力自給電標識灯において、前記の表示部は、点灯又は点滅するためのランプとしてＬＥＤを含むことを特徴とする。【０００７】請求項３記載の発明は、請求項１又は請求項２記載の垂直軸型風力自給電標識灯において、前記の表示部は、赤、黄、青（緑）の３色、又は赤、青（緑）の２色のランプを有することを特徴とする。【０００８】請求項４記載の発明は、請求項１〜請求項３のいずれか１つに記載の垂直軸型風力自給電標識灯において、前記の表示部は、待ち時間等の時間表示機能を持つことを特徴とする。【０００９】請求項５記載の発明は、請求項１〜請求項４のいずれか１つに記載の垂直軸型風力自給電標識灯において、前記垂直軸型風力発電機の電力を補助する太陽電池を有することを特徴とする。【００１０】請求項６記載の発明は、請求項１〜請求項５のいずれか１つに記載の垂直軸型風力自給電標識灯において、前記垂直軸型風力発電機の前記羽根に複数の色や反射部をつけたことを特徴とする。【００１１】請求項７記載の発明は、請求項１〜請求項６のいずれか１つに記載の垂直軸型風力自給電標識灯において、前記垂直軸型風力発電機を内蔵した筒状の前記支持体と前記表示部が、１対１以外の数の組み合わせでなることを特徴とする。
【発明の効果】
【００１２】    それゆえに、風力発電機が、筒状の支持体内又は、それに近い径の筒内に内蔵されるため、筒と一体になって、コンパクトになり、筒の保護があるため破損等にも強くなる。また、持ち運びにも、全体がほぼ同じ径を有する筒となるため、積載や集積が容易で利便性に優れている。
【発明を実施するための最良の形態】
【００１３】    以上説明したように、本発明では、筒状の支持体内に垂直軸型風力発電機を内蔵しているが、羽根を筒の長さが許す限り長手方向に大きくすることができ、都合がよい。以下実施例１を用いて説明する。
【実施例１】
【００１４】    図１は、本発明による垂直軸型風力自給電標識灯の一実施態様を示す図である。
筒１３には、表示部１２があり、これには、標識のためのランプ１１が付設している。筒１３には、更に、風力発電機の回転軸１４があり、この回転軸１４には、筒の長手方向に伸びた羽根１５が付設している。風力発電機の発電部と、整流作用や、電力の充電作用や、電圧の調整作用や、ランプの点灯または点滅の作用を行う制御回路は、筒の内部に内蔵されている。当然のことながら、風を通す部分は、筒１３に開口されている。羽根１５は、筒の長さが大きければ、それに対応して大きくでき、横の幅を大きくせずに発電量を大きくできるので好都合である。設置された場所の風を受けて、羽根１５により風力発電機が電力を発生させ、図示されていない制御回路を通じて、標識のためのランプに自給電し、点灯又は点滅させる。１６は、例えば、ネジ等の支持部であって、他のものに支持又は結合するためのものである。支持の仕方は、脚を付けたり、又は、地面やコンクリート面に埋め込むことなど、種々の使い方がある。【００１５】本発明の垂直軸型風力自給電標識灯において、ランプは、ＬＥＤや、蛍光灯などの低消費電力のものが好都合である。又、ランプとして、赤、黄、青（緑）のものを使えば、停止／進め等の交通信号としての表示ができ、又、進めまでの時間をＬＥＤ表示すれば、待ち時間の表示ができる。又、電力の補助手段として、太陽電池を併設することも可能である。特に、筒状の標識は、他の支持体が筒や棒状であることが多いので、接続上の容易性もある。羽根の形状は、サボニウス型に限らず、垂直軸型で細長い形状のものが可能である。又、使用形態として、図１の本発明品の複数個を並べた使い方や、本発明品の構成が、風力発電部を複数個で、表示部が単数、またはその逆の組み合わせとすることも可能であり、本発明の意図する範囲である。又、羽根に複数の色や反射部をつけて注意喚起や、装飾を行う応用が可能である。
【産業上の利用可能性】
【００１６】    このような標識灯は、夜間での道路端表示、工事現場での交通信号、夜間での高層建造物の表示、ベランダや屋上での端の表示又は、装飾等の様々な応用がある。
【図面の簡単な説明】
【００１７】
【図１】  本発明の垂直軸型風力自給電標識灯の一実施例を示す図である。
【図２】  電池により駆動した従来の標識灯を示す図である。
【図３】  水平軸風力発電機による従来の標識灯を示す図である。
【符号の説明】
【００１８】１１、２１、３１・・・ランプ
１２、２２、３２・・・表示部
１３・・・筒
１４・・・回転軸
１５、３６・・・羽根
１６・・・支持部
２３・・・電池
２４・・・制御回路
３５・・・風力発電機
【図１】
2005042693.tif 000003
【図２】
2005042693.tif 000004
【図３】
2005042693.tif 000005